(57)【要約】【課題】動画を再生可能な状態で確実に記録可能な動画記録装置を得る。【解決手段】システムコントローラ１０５は、ＲＡＭ１０４に記憶された画像データが所定数に達すると、これらの画像データを用いて動画を作成する。所定数は例えば５０であって、この場合、動画は５０のフレームから成る。そして、外部記録媒体１０７又は内蔵メモリ１０８に動画を記録させる。また、ユーザに対して警告する必要があるとき、警告生成部１０９に警告信号を送信する。【選択図】図１
2012249269.tif 000002
【特許請求の範囲】
【請求項１】
撮像装置が撮像した複数のフレームから成る動画を記録する動画記録装置であって、
前記撮像装置からフレームを１つずつ受信する画像入力処理部と、
前記画像入力処理部が受信したフレームを一時的に記憶する記憶部と、
前記動画記録装置から脱着自在であって、動画を記録する外部記録媒体と、
前記動画記録装置に内蔵されて、動画を記録する内蔵メモリと、
前記記憶部が記憶するフレームの数が所定数に達したときに、受信した全てのフレームを動画として前記外部記録媒体又は前記内蔵メモリに記録する制御部とを備え、
前記制御部は、前記外部記録媒体に動画を記録できる場合には、動画を前記外部記録媒体に記録し、前記外部記録媒体に動画を記録できない場合には、動画を前記内蔵メモリに記録する動画記録装置。
【請求項２】
前記所定数は、５０以下の数である請求項１に記載の動画記録装置。
【請求項３】
前記制御部は、前記内蔵メモリに動画が記録されており、かつ前記外部記録媒体に動画を記録できる場合には、前記内蔵メモリに記録されている動画を前記外部記録媒体に記録する請求項１又は２に記載の動画記録装置。
【請求項４】
前記制御部は、前記動画記録装置に前記外部記録媒体が接続され通信可能で、かつ前記外部記録媒体が動画を記録可能な空き容量を有する場合に、前記外部記録媒体に動画を記録できると判断し、前記動画記録装置に前記外部記録媒体が接続されていない場合、前記動画記録装置に前記外部記録媒体が接続されていても通信可能ではない場合、前記動画記録装置に前記外部記録媒体が接続され通信可能ではあるが前記外部記録媒体が動画を記録可能な空き容量を有しない場合のいずれかの場合に、前記外部記録媒体に動画を記録できないと判断する請求項１から３に記載の動画記録装置。
【請求項５】
前記外部記録媒体に動画を記録できない場合に、警告を発する警告部をさらに備える請求項１から４に記載の動画記録装置。
【請求項６】
脱着自在に設けられる外部記録媒体と内蔵される内蔵メモリとを備える動画記録装置において実行される、複数のフレームから成る動画を記録する動画記録方法であって、
外部からフレームを１つずつ受信するステップと、
受信したフレームを一時的に記憶するステップと、
一時的に記憶するフレームの数が所定数に達したときに、前記外部記録媒体に動画を記録できる場合には、一時的に記憶しているフレームを動画として前記外部記録媒体に記録するステップと、
一時的に記憶するフレームの数が所定数に達したときに、前記外部記録媒体に動画を記録できない場合には、一時的に記憶しているフレームを動画として前記内蔵メモリに記録するステップとを備える動画記録方法。
【請求項７】
脱着自在に設けられる外部記録媒体と内蔵される内蔵メモリとを備える動画記録装置において実行される、複数のフレームから成る動画を記録するソフトウェアであって、
外部からフレームを１つずつ受信するステップと、
受信したフレームを一時的に記憶するステップと、
一時的に記憶するフレームの数が所定数に達したときに、前記外部記録媒体に動画を記録できる場合には、一時的に記憶しているフレームを動画として前記外部記録媒体に記録するステップと、
一時的に記憶するフレームの数が所定数に達したときに、前記外部記録媒体に動画を記録できない場合には、一時的に記憶しているフレームを動画として前記内蔵メモリに記録するステップとを備えるソフトウェア。
【発明の詳細な説明】
【技術分野】
【０００１】
本発明は、動画を記録するために用いられる動画記録装置、動画記録方法、及びソフトウェアに関する。
【背景技術】
【０００２】
着脱自在な記録媒体を備え、動画を記録媒体に記録する動画記録装置が知られている。動画は複数のフレームから成る。動画記録装置の電源電圧が所定の電圧レベル以下になった場合に、撮像されたフレームの属性情報を動画と共に記録媒体に記録する。これにより、動画記録装置の電源電圧が低下した場合であっても、動画を再生可能な状態で記録する（特許文献１）。
【先行技術文献】
【特許文献】
【０００３】
【特許文献１】特開２００５−２２９２９５号公報
【発明の概要】
【発明が解決しようとする課題】
【０００４】
しかし、電源電圧が瞬時に低下した場合、あるいは記録媒体が瞬時に破損した場合、属性情報を記録媒体に記録することができず、動画を再生できなくなるおそれがある。
【０００５】
本発明はこれらの問題に鑑みてなされたものであり、動画を再生可能な状態で確実に記録可能な動画記録装置を得ることを目的とする。
【課題を解決するための手段】
【０００６】
本願第１の発明による動画記録装置は、撮像装置が撮像した複数のフレームから成る動画を記録する動画記録装置であって、撮像装置からフレームを１つずつ受信する画像入力処理部と、画像入力処理部が受信したフレームを一時的に記憶する記憶部と、動画記録装置から脱着自在であって、動画を記録する外部記録媒体と、動画記録装置に内蔵されて、動画を記録する内蔵メモリと、記憶部が記憶するフレームの数が所定数に達したときに、受信した全てのフレームを動画として外部記録媒体又は内蔵メモリに記録する制御部とを備え、制御部は、外部記録媒体に動画を記録できる場合には、動画を外部記録媒体に記録し、外部記録媒体に動画を記録できない場合には、動画を内蔵メモリに記録することを特徴とする。
【０００７】
所定数は、５０以下の数が好ましい。動画を頻繁に記録することが可能になる。
【０００８】
制御部は、内蔵メモリに動画が記録されており、かつ外部記録媒体に動画を記録できる場合には、内蔵メモリに記録されている動画を外部記録媒体に記録することが好ましい。外部記録媒体に動画を記録できないとき、一時的に内蔵メモリに動画を記録し、外部記録媒体に動画を記録可能となったときに、内蔵メモリから外部記録媒体に動画を移動させることができる。
【０００９】
制御部は、動画記録装置に外部記録媒体が接続され通信可能で、かつ外部記録媒体が動画を記録可能な空き容量を有する場合に、外部記録媒体に動画を記録できると判断し、動画記録装置に外部記録媒体が接続されていない場合、動画記録装置に外部記録媒体が接続されていても通信可能ではない場合、動画記録装置に外部記録媒体が接続され通信可能ではあるが外部記録媒体が動画を記録可能な空き容量を有しない場合のいずれかの場合に、外部記録媒体に動画を記録できないと判断することが好ましい。
【００１０】
外部記録媒体に動画を記録できない場合に、警告を発する警告部をさらに備えることが好ましい。外部記録媒体に動画を記録できない旨をユーザに告知できる。
【００１１】
本願第２の発明による動画記録方法は、脱着自在に設けられる外部記録媒体と内蔵される内蔵メモリとを備える動画記録装置において実行される、複数のフレームから成る動画を記録する動画記録方法であって、外部からフレームを１つずつ受信するステップと、受信したフレームを一時的に記憶するステップと、一時的に記憶するフレームの数が所定数に達したときに、外部記録媒体に動画を記録できる場合には、一時的に記憶しているフレームを動画として外部記録媒体に記録するステップと、一時的に記憶するフレームの数が所定数に達したときに、外部記録媒体に動画を記録できない場合には、一時的に記憶しているフレームを動画として内蔵メモリに記録するステップとを備えることを特徴とする。
【００１２】
本願第３の発明によるソフトウェアは、脱着自在に設けられる外部記録媒体と内蔵される内蔵メモリとを備える動画記録装置において実行される、複数のフレームから成る動画を記録するソフトウェアであって、外部からフレームを１つずつ受信するステップと、受信したフレームを一時的に記憶するステップと、一時的に記憶するフレームの数が所定数に達したときに、外部記録媒体に動画を記録できる場合には、一時的に記憶しているフレームを動画として外部記録媒体に記録するステップと、一時的に記憶するフレームの数が所定数に達したときに、外部記録媒体に動画を記録できない場合には、一時的に記憶しているフレームを動画として内蔵メモリに記録するステップとを備えることを特徴とする。
【発明の効果】
【００１３】
本発明によれば、動画を再生可能な状態で確実に記録可能な動画記録装置を得る。
【図面の簡単な説明】
【００１４】
【図１】動画記録装置のブロック図である。
【図２】動画記録処理のフローチャートである。
【発明を実施するための形態】
【００１５】
以下、本発明における動画記録装置１００の一実施形態について添付図面を参照して説明する。まず、図１を用いて動画記録装置１００の構成について説明する。
【００１６】
動画記録装置１００は、レンズ１０１、ＣＣＤ１０２、画像入力処理部１０３、ＲＡＭ１０４、システムコントローラ１０５、撮影ＯＮ／ＯＦＦスイッチ１０６、外部記録媒体１０７、内蔵メモリ１０８、警告生成部１０９、及び表示部１１０を主に備える。
【００１７】
レンズ１０１はＣＣＤ１０２に被写体像を結像させる。ＣＣＤ１０２は、結像した画像を画像データに変換して１フレームごとに出力する。出力された１フレーム分の画像データは画像入力処理部１０３により受信される。画像データは１フレームごとに作成され、１つの画像データは１フレームに対応する。
【００１８】
画像入力処理部１０３は、画像データに対して所定の画像処理を行って、ＲＡＭ１０４に記憶させる。ＲＡＭ１０４は、システムコントローラ１０５からの指示によって、画像データを一時的に記憶し、表示部１１０あるいはシステムコントローラ１０５に出力する。
【００１９】
システムコントローラ１０５は、動画記録装置１００が備える各部を制御する。ＲＡＭ１０４に記憶された画像データが所定数に達すると、これらの画像データを用いて動画を作成する。所定数は例えば５０であって、この場合、動画は５０のフレームから成る。そして、動画を表示部１１０、外部記録媒体１０７、又は内蔵メモリ１０８に送信する。また、ユーザに対して警告する必要があるとき、警告生成部１０９に警告信号を送信する。
【００２０】
警告生成部１０９は、システムコントローラ１０５から警告信号を受信して、警告のメッセージを作成し、そのメッセージを表示部１１０に表示させる。
【００２１】
ユーザは撮影ＯＮ／ＯＦＦスイッチ１０６を操作して、動画撮影の開始又は中止をシステムコントローラ１０５に入力する。システムコントローラ１０５は、撮影ＯＮ／ＯＦＦスイッチ１０６が押し下げられると、動画記録処理を開始する。動画記録処理については後述される。
【００２２】
外部記録媒体１０７及び内蔵メモリ１０８は、システムコントローラ１０５から動画を受信して記憶する。動画は複数の画像データ、すなわち複数のフレームから成る。
【００２３】
次に、図２を用いて動画記録処理について説明する。動画記録処理は、撮影ＯＮ／ＯＦＦスイッチ１０６がユーザにより押し下げられたとき主にシステムコントローラ１０５によって実行される処理であって、ＲＡＭ１０４に記憶された画像データの数が所定数に達する度に、記憶された画像データから動画を作成し、外部記録媒体１０７又は内蔵メモリ１０８に動画を記憶させる処理である。
【００２４】
ステップＳ２０１では、画像入力処理部１０３がＣＣＤ１０２から１フレーム分の画像データを取り込む。そして、次のステップＳ２０２において画像データに対して所定の画像処理を行い、画像処理済みの画像データをＲＡＭ１０４に記憶させる。
【００２５】
次のステップＳ２０３では、撮影ＯＮ／ＯＦＦスイッチ１０６がオフになっているか否かを判断する。ＯＦＦになっていない場合、つまり撮影が行われているとき、処理はステップＳ２０４に進み、ＯＦＦになっている場合、つまり撮影が中止されたとき、処理はステップＳ２０４を実行せずにステップＳ２０５に進む。
【００２６】
ステップＳ２０４では、ＲＡＭ１０４に記憶されている画像データの数が所定数に達したか否かを判断する。言い換えると、ＲＡＭ１０４に記憶されているフレームの数が所定数に達したか否かを判断する。所定数に達していない場合、処理はステップＳ２０１に戻り、再度撮像を行って画像データをＣＣＤ１０２から取り込む。所定数に達している場合、処理はステップＳ２０５に進む。
【００２７】
ステップＳ２０５では、外部記録媒体１０７に動画を記録可能か否かを判断する。動画を外部記録媒体１０７に記録可能な場合、処理はステップＳ２０６を実行して外部記録媒体１０７に動画を記録させる。動画を外部記録媒体１０７に記録できない場合、処理はステップＳ２０９からＳ２１１を実行して、内蔵メモリ１０８に動画を記録させる。
【００２８】
外部記録媒体１０７に記録可能な場合とは、外部記録媒体１０７との通信が可能で、かつ外部記録媒体１０７が記録可能な空き容量を有している場合である。外部記録媒体１０７に記録できない場合とは、外部記録媒体１０７が接続されていない場合、外部記録媒体１０７は接続されているが通信が可能でない場合、外部記録媒体１０７との通信は可能であるが記録可能な空き容量を有していない場合である。すなわち、ステップＳ２０５では外部記録媒体１０７との通信が可能か判断し、通信が可能な場合にはさらに動画を記録可能な空き容量を有しているか否かを判断する。
【００２９】
ステップＳ２０５において、外部記録媒体１０７が接続されていないと判断される場合、外部記録媒体１０７は接続されているが通信可能ではない場合、若しくは外部記録媒体１０７が接続され、かつ通信可能であるが、記録可能な空き容量を有しないと判断される場合について詳細に説明する。
【００３０】
ステップＳ２０９では、記録可能な空き容量を内蔵メモリ１０８が有するか否かを判断する。空き容量がある場合、内蔵メモリ１０８に動画を記録できるため、処理はステップＳ２１０を実行して内蔵メモリ１０８に動画を記録させる。空き容量がない場合、内蔵メモリ１０８に動画を記録できないため、処理はステップＳ２１２を実行して、表示部１１０に警告を表示させる。
【００３１】
ステップＳ２１０では、所定数の画像データから動画を作成し、動画を動画ファイルとして内蔵メモリ１０８に記録させる。これにより、動画を撮影中に外部記録媒体１０７との接続が切断された場合であっても、動画を内蔵メモリ１０８に記録して、撮影を継続することができる。
【００３２】
そして、次のステップＳ２１１では、外部記録媒体１０７に不備があるというメッセージ（記録媒体空き容量不足、記録媒体未接続、記録媒体通信不能等）を表示部１１０に表示させる。その後、処理はステップＳ２１３に進む。
【００３３】
ステップＳ２０９において内蔵メモリ１０８に空き容量がない場合において実行されるステップＳ２１２について説明する。ステップＳ２１２では、外部記録媒体１０７に不備がある旨と、これ以上は動画を記録することができない旨を表示部１１０に警告として表示させる。そして、処理はステップＳ２０５に進む。これにより、外部記録媒体１０７又は内蔵メモリ１０８のいずれかに動画が記録可能となるまで処理はステップＳ２０５、Ｓ２０９、及びＳ２１２を反復する。
【００３４】
ステップＳ２０５において、外部記録媒体１０７が接続され通信可能であり、かつ記録可能な空き容量を有すると判断される場合について詳細に説明する。
【００３５】
ステップＳ２０６では、所定数の画像データから動画を作成し、動画を動画ファイルとして外部記録媒体１０７に記録させる。
【００３６】
次のステップＳ２０７では、内蔵メモリ１０８に動画ファイルがあるか否かを判断する。ステップＳ２０５において記録可能な空き容量を外部記録媒体１０７が有しない場合、ステップＳ２１０で内蔵メモリ１０８に動画が記録されている。そこで、ステップＳ２０７及びＳ２０８では、記録可能な空き容量を有する外部記録媒体１０７に、内蔵メモリ１０８に記録されている動画ファイルを移動させ、記録させる。
【００３７】
ステップＳ２０７で内蔵メモリ１０８が動画ファイルを記録している場合、内蔵メモリ１０８に記録されている動画ファイルを外部記録媒体１０７に書き込む。その後、処理はステップＳ２１３に進む。これにより、外部記録媒体１０７に動画を記録できないとき、一時的に内蔵メモリ１０８に動画を記録し、外部記録媒体１０７に動画を記録可能となったときに、内蔵メモリ１０８から外部記録媒体１０７に動画を移動させることができる。
【００３８】
ステップＳ２０７で内蔵メモリ１０８が動画ファイルを記録していない場合、処理はステップＳ２０８を実行せずに、ステップＳ２１３に進む。
【００３９】
ステップＳ２１３では、撮影ＯＮ／ＯＦＦスイッチ１０６がオフになっているか否かを判断する。ＯＦＦになっていない場合、つまり撮影が行われているとき、処理はステップＳ２０１に戻り、再度撮像を行って画像データをＣＣＤ１０２から取り込む。ＯＦＦになっている場合、つまり撮影が中止されたとき、処理は終了する。
【００４０】
本実施形態では、動画を撮影終了したときでなく、所定のフレーム数に達した時に動画を外部記録媒体１０７に記録させる。所定のフレーム数を少なくして頻繁に記録することによって、再生可能な形式で動画を記録し、かつ記録されていない画像データの数を少なくすることができる。そのため、動画記録装置１００の電源が動画を撮影中に切断された場合であっても、失われる画像データの数を最小限にとどめることができる。
【００４１】
なお、撮像装置はＣＣＤ１０２に限定されず、例えばＣＭＯＳ等の撮像装置であっても良い。
【００４２】
また、所定数は５０でなくても良く、例えば５０以下であっても良い。動画を頻繁に記録することが可能になる。
【符号の説明】
【００４３】
１００  動画記録装置
１０１  レンズ
１０２  ＣＣＤ
１０３  画像入力処理部
１０４  ＲＡＭ
１０５  システムコントローラ
１０６  撮影ＯＮ／ＯＦＦスイッチ
１０７  外部記録媒体
１０８  内蔵メモリ
１０９  警告生成部
１１０  表示部
【図１】
2012249269.tif 000003
【図２】
2012249269.tif 000004